(57)【要約】【課題】農業用止水シートをフレーム部材に固定する際の作業性が低下するのを良好に防止可能にする。【解決手段】  農業用止水シートは、表面に沿った一方向に線状に延び、表面の一部が厚み方向に折り曲げ容易に加工された加工部である少なくとも１本の折曲部を備える。【選択図】図１
2020089390.tif 000002
【特許請求の範囲】
【請求項１】
表面に沿った一方向に線状に延び、前記表面の一部が厚み方向に折り曲げ容易に加工された加工部である少なくとも１本の折曲部を備える、農業用止水シート。
【請求項２】
折曲部が、厚み方向に窪んでなる請求項１に記載の農業用止水シート。
【請求項３】
平面視において、前記折曲部が波状に形成されている、請求項１又は２に記載の農業用止水シート。
【請求項４】
平面視において、前記折曲部は、複数の線分がジグザグに折れ曲がることで前記波状に形成されている、請求項３に記載の農業用止水シート。
【請求項５】
平面視において、前記折曲部が破線状に形成されている、請求項１〜４のいずれか１項に記載の農業用止水シート。
【請求項６】
平面視において、前記一方向と垂直な方向に離隔して２本の前記折曲部が配置されている、請求項１〜５のいずれか１項に記載の農業用止水シート。
【発明の詳細な説明】
【技術分野】
【０００１】
本発明は、農業用ハウスに用いられる農業用止水シートに関する。
【背景技術】
【０００２】
農作物の生育設備として、例えば、骨材に囲まれた内部空間をガラス板や軟質シート等で覆うことにより構成された農業用ハウスが知られている。この農業用ハウスには、農作物を保温すると共に地表付近から水等が内部空間へ浸入するのを防止する目的で、側部や妻部の下側に、特許文献１に開示されるように農業用止水シートが設けられる場合がある。
【０００３】
農業用止水シートを農業用ハウスに設ける場合、例えば、溝部を有する長尺状のフレーム部材を骨材に取付け、当該フレーム部材の溝部に農業用止水シートの一部を入れた状態で、スプリングにより農業用止水シートを溝部の溝幅方向の内壁に押圧する。これにより、農業用止水シートがフレーム部材に固定される。
【先行技術文献】
【特許文献】
【０００４】
【特許文献１】特許第３１１４８５８号公報
【発明の概要】
【発明が解決しようとする課題】
【０００５】
農業用止水シートは、長期間の使用に耐えうる耐久性を持たせるため、例えば、ある程度の厚み寸法を有するように製造されて強度が高められる。これにより、農業用止水シートのコシが強くなることで、農業用止水シートをフレーム部材の溝部内でフレーム部材に固定する際の作業性が低下するおそれがある。
【０００６】
そこで本発明は、農業用止水シートをフレーム部材に固定する際の作業性が低下するのを良好に防止可能にすることを目的としている。
【課題を解決するための手段】
【０００７】
上記課題を解決するために、本発明の一態様に係る農業用止水シートは、表面に沿った一方向に線状に延び、前記表面の一部が厚み方向に折り曲げ容易に加工された加工部である少なくとも１本の折曲部を備える。
【０００８】
上記構成によれば、農業用止水シートは、折曲部において厚み方向に折り曲げ容易に加工されているため、小さい力でも折曲部において容易に折り曲げることができる。従って、例えば、フレーム部材の溝部に農業用止水シートの一部を入れる際、農業用止水シートの折曲部が形成された部分を溝部の内部に配置することで、農業用止水シートの一部を溝部内に容易に配置できる。これにより、農業用止水シートが折り曲げられた反発で溝部から飛び出すのを防止できる。よって、農業用止水シートをフレーム部材の溝部内でフレーム部材に固定し易くできる。
【発明の効果】
【０００９】
本発明によれば、農業用止水シートをフレーム部材に固定する際の作業性が低下するのを良好に防止できる。
【図面の簡単な説明】
【００１０】
【図１】第１実施形態に係る農業用止水シートの正面図である。
【図２】図１の農業用止水シートのフレーム部材の溝部に固定したときの正面図である。
【図３】図１の農業用止水シートをフレーム部材の溝部に固定したときの農業用止水シート及びフレーム部材の断面図である。
【図４】図１の農業用止水シートの一部をフレーム部材の溝部に入れたときの農業用止水シート及びフレーム部材の断面図である。
【図５】従来の農業用止水シートの一部をフレーム部材の溝部に入れたときの農業用止水シート及びフレーム部材の断面図である。
【図６】第２実施形態に係る農業用止水シートの正面図である。
【発明を実施するための形態】
【００１１】
以下、本発明の各実施形態について、各図を参照して説明する。
【００１２】
（第１実施形態）
図１は、第１実施形態に係る農業用止水（遮水）シート１の正面図である。図２は、図１の農業用止水シート１のフレーム部材２の溝部２ａに固定したときの正面図である。図３は、図１の農業用止水シート１をフレーム部材２の溝部２ａに固定したときの農業用止水シート１及びフレーム部材２の断面図である。図４は、図１の農業用止水シート１の一部をフレーム部材２の溝部２ａに入れたときの農業用止水シート１及びフレーム部材２の断面図である。
【００１３】
図１〜３に示される農業用止水シート１は、農業用ハウスの被覆材として用いられる。農業用止水シート１は、例えば、農業用ハウスの側部及び妻部の下側に配置され、下部が地中２０に埋設された状態で使用される。農業用止水シート１の下部は、地中２０において鉛直方向に延び、地表から一定の深さまでの範囲において、農業用ハウスの外側と内側との土壌を区画する。これにより農業用止水シート１は、地表及びその付近から、水等の液体や小動物が農業用ハウスの内部空間に浸入するのを防止する。
【００１４】
農業用止水シート１は、農業用ハウスの骨材に取り付けられた１以上のフレーム部材（軟質フィルム止め）２に固定される。フレーム部材２は、長尺状の板部である本体部２ｂと、本体部２ｂの幅方向両側から本体部２ｂの厚み方向一方側に突出する一対の側部２ｃとを有する。フレーム部材２には、本体部２ｂと一対の側部２ｃとにより形成されて本体部２ｂの長手方向に延びる溝部２ａが設けられている。このようなフレーム部材２としては、例えば、東都興業株式会社製「ビニペット」を挙げることができるが、これに限定されない。
【００１５】
本実施形態の農業用止水シート１は、農業用ハウスの内部に外光が入射するのを防止する遮光性を有する。農業用止水シート１の色は、一例として銀色であるが、黒色や白色等でもよい。農業用止水シート１は、柔軟性及び高耐久性を有する材料（一例としてＭＣＰＥ（メタロセン触媒ポリエチレン）等のポリオレフィンやＥＶＡ（エチレン−酢酸ビニル共重合体））により構成される。
【００１６】
農業用止水シート１の最大厚み寸法は適宜設定可能であるが、一例として１ｍｍ以下（ここでは７００μｍ以下）の範囲の値に設定される。農業用止水シート１には、虫忌避剤等の各種添加剤が添加されていてもよい。また農業用止水シート１は、遮光性を有していなくてもよい。また農業用止水シート１は、２層以上のフィルムが積層されてなる積層体であってもよい。
【００１７】
図１に示すように、農業用止水シート１は、表面に沿った一方向（図１では横方向）に延び、表面の一部が少なくとも１本（ここでは２本）の折曲部１ａを備える。折曲部１ａは、農業用止水シート１の表面の一部が厚み方向に折り曲げ容易に加工された加工部である。折曲部１ａは、一例として、農業用止水シート１が部分的に厚み方向に窪んでなる。
【００１８】
本実施形態の折曲部１ａは、平面視において、波状に形成されている。折曲部１ａは、前記一方向に垂直な方向に規則的に蛇行しながら形成されている。平面視において、折曲部１ａは、複数の線分がジグザグに折れ曲がることで波状に形成されている。言い換えると、平面視において、折曲部１ａは、複数の直線部分を有する。本実施形態では、各折曲部１ａの波の位相は一致しているが、異なっていてもよい。
【００１９】
なお折曲部１ａは、平面視において波状ではなく例えば直線状に形成されていても差し支えない。また折曲部１ａは、上記したように、農業用止水シート１が部分的に厚み方向に窪んでなるのが耐久性等を得る上で好ましいが、例えば、農業用止水シート１をその表面に沿った一方向に断続的（ミシン目状）に貫通させることで形成されていても差し支えない。
【００２０】
折曲部１ａは、農業用止水シート１を厚み方向に貫通させることなく形成されている。折曲部１ａの幅寸法Ｌ１は、適宜設定可能であるが、例えば０．５ｍｍ以上１０ｍｍ以下の範囲の値に設定される。また別の例では、折曲部１ａの幅寸法Ｌ１は、後述するスプリング３の外径よりも大きい値に設定される。
【００２１】
農業用止水シート１の折曲部１ａ内での厚み寸法は、適宜設定可能であるが、一例として、農業用止水シート１の最大厚み寸法の１／５，１／４，１／３のいずれかを下限値とし、１／２，２／３，３／４のいずれかを上限値とする範囲の値に設定される。
【００２２】
農業用止水シート１では、平面視において、前記一方向と垂直な方向に離隔して２本の折曲部１ａが配置されている。２本の折曲部１ａの間の最短距離Ｌ２は、適宜設定可能であるが、例えば１０ｍｍ以上１００ｍｍ以下の範囲の値に設定される。また別の例では、最短距離Ｌ２は、フレーム部材２の溝部２ａの溝幅寸法に合わせて設定される。
【００２３】
折曲部１ａの長手方向に垂直な断面形状は、一例として矩形状である。折曲部１ａの長手方向に垂直な断面形状は、これに限定されず、折曲部１ａの外部への開放側から反対側に向けて溝幅寸法が減少する逆三角形状でもよいし、Ｕ字形状でもよい。
【００２４】
農業用止水シート１は、厚み寸法が薄い各折曲部１ａに沿って容易に折り曲げられるように構成されている。図２に示すように、農業用止水シート１は、折曲部１ａが形成された部分がフレーム部材２の溝部２ａに入れられた状態で、折曲部１ａにおいて折り曲げられ、平面視において蛇行するように形成された金属線からなるスプリング３により、溝部２ａの溝幅方向両側の内壁に押圧されて溝部２ａに固定される。
【００２５】
ここで図５は、従来の農業用止水シート１０１の一部をフレーム部材２の溝部２ａに入れたときの農業用止水シート１０１及びフレーム部材２の断面図である。フレーム部材２に農業用止水シート１０１を固定する場合、施工者は、例えば、農業用止水シート１０１を窪ませてフレーム部材２の溝部２ａに農業用止水シート１０１の一部を入れた状態で、溝部２ａの溝幅方向に付勢されるスプリング３（図３参照）を溝部２ａの内部に入れ、農業用止水シート１０１を溝部２ａの溝幅方向の内壁に押圧する。これにより、農業用止水シート１０１をフレーム部材２に固定する。
【００２６】
しかしながら、農業用止水シート１０１はコシが強く、復元力が比較的大きい場合がある。図５に示すように、この場合、農業用止水シート１０１を折り曲げてフレーム部材２の溝部２ａに入れようとすると、農業用止水シート１０１が折り曲げられた反発でフレーム部材２の溝部２ａから飛び出すおそれがある。従って施工者は、例えば、農業用止水シート１０１の一部をフレーム部材２の溝部２ａの内部に押し留めながら、農業用止水シート１０１をスプリング３によりフレーム部材２の溝部２ａに固定する作業が要求され、作業性が低下すると共に作業負担が増大する。このような作業性低下の問題は、例えば、農業用止水シート１０１の復元力が高いほど顕著となる。
【００２７】
これに対して本実施形態の農業用止水シート１は、折曲部１ａが形成されており、折曲部１ａでは厚み寸法が低減されているため、折曲部１ａにおいて折り曲げられた場合には復元力が低減される。従って、農業用止水シート１の折曲部１ａが形成された部分をフレーム部材２の溝部２ａに入れ、溝部２ａ内で折曲部１ａにおいて農業用止水シート１を折り曲げることで、農業用止水シート１を比較的簡単に折り曲げることができ、フレーム部材２の溝部２ａ内に農業用止水シート１の一部が入れられた状態を保持し易くできる。このため、農業用止水シート１をスプリング３によりフレーム部材２の溝部２ａ内に固定する際の作業性を向上できる。
【００２８】
また、コシが強い従来の農業用止水シート１０１をスプリング３によりフレーム部材２の溝部２ａ内に固定する際、農業用止水シート１０１が溝部２ａ内とその周辺において皺や撓みを生じたり、農業用止水シート１０１とフレーム部材２との間に隙間が生じたりするおそれがある。
【００２９】
これに対して本実施形態の農業用止水シート１は、折曲部１ａで折り曲げられることにより、農業用止水シート１に無理な力が及びにくく、皺や撓みを生じにくい。また、農業用止水シート１とフレーム部材２との間に隙間を生じにくい。このため、農業用止水シート１をスプリング３によりフレーム部材２の溝部２ａ内に適切に固定できると共に、農業用ハウスの美観が農業用止水シート１の皺や撓みにより低下するのを防止できる。また、農業用ハウスの保温性が上記隙間により低下するのを防止できる。
【００３０】
農業用止水シート１は、例えば、Ｔダイ押出成形法に基づき、Ｔダイを用いて樹脂材料からなるシート部材を連続的に製造すると共に、当該シート部材が冷却成形される前に当該シート部材の表面に回転刻印刃を押圧して折曲部１ａを形成するように加工されることで製造される。なお、農業用止水シート１の製造方法は、これに限定されない。
【００３１】
以上説明したように、本実施形態の農業用止水シート１は、折曲部１ａにおいて厚み方向に折り曲げ容易に加工されているため、小さい力でも折曲部１ａにおいて容易に折り曲げることができる。従って、例えば、フレーム部材２の溝部２ａに農業用止水シート１の一部を入れる際、農業用止水シート１の折曲部１ａが形成された部分を溝部２ａの内部に配置することで、農業用止水シート１の一部を溝部２ａ内に容易に配置できる。これにより、農業用止水シート１が折り曲げられた反発で溝部２ａから飛び出すのを防止できる。よって、農業用止水シート１をフレーム部材２の溝部２ａ内でフレーム部材２に固定し易くできる。
【００３２】
また農業用止水シート１は、折曲部１ａが厚み方向に窪んでなるため、折曲部１ａにおいて折り曲げ容易に構成されると共に、耐久性を良好に維持できる。
【００３３】
また農業用止水シート１は、平面視において、折曲部１ａが波状に形成されているので、折曲部１ａの形状における波の振幅幅に対応する領域内で農業用止水シート１を容易に折り曲げることができる。よって、農業用止水シート１を固定しようとするフレーム部材２の溝部２ａの溝幅や、溝部２ａの長手方向に垂直な断面形状が異なる場合でも、農業用止水シート１をフレーム部材２の溝部２ａ内に固定し易くできる。
【００３４】
また農業用止水シート１では、平面視において、折曲部１ａが、複数の線分がジグザグに折れ曲がることで波状に形成されているので、折曲部１ａを比較的簡単な形状により形成できる。また、折曲部１ａの各線分に沿って農業用止水シート１を折り曲げ易くすることができ、折り曲げられた農業用止水シート１に無理な力が及ぶのを防止して、皺や撓み、上記隙間が生じるのを防止できる。
【００３５】
また農業用止水シート１は、平面視において、前記一方向と垂直な方向に離隔して（最短距離Ｌ２をおいて）２本の折曲部１ａが配置されている。このため例えば、フレーム部材２の溝部２ａに農業用止水シート１の一部を入れる際、最短距離Ｌ２をおいて溝部２ａの底側の溝幅方向両端に対応する位置で農業用止水シート１を折り曲げると共に、溝部２ａの開口側の溝幅方向両端に対応する位置で農業用止水シート１を折り曲げることができる。よって、溝部２ａの内部形状に追従して農業用止水シート１を溝部２ａの内部に一層配置し易くすることができる。
【００３６】
なお、農業用止水シート１が備える折曲部１ａの本数は、少なくとも１本であればよいが、２本以上であれば、サイズや形態の異なる複数種類のフレーム部材２に対しても農業用止水シート１を固定し易くすることができ、農業用止水シート１の汎用性を高められるので望ましい。以下、第２実施形態について、第１実施形態との差異を中心に説明する。
【００３７】
（第２実施形態）
図６は、第２実施形態に係る農業用止水シート１１の正面図である。図６に示すように、農業用止水シート１１は、平面視において、折曲部１１ａが破線状に形成されている。折曲部１１ａは、表面に沿った一方向（図６では横方向）に全体として直線状に延びている。
【００３８】
上記構成を有する農業用止水シート１１においても、第１実施形態の農業用止水シート１と同様の効果が奏される。また例えば、破線の長手方向に隣接する線分間の間隔、及び、破線の長手方向に隣接する線分の長さ寸法のうち少なくともいずれかを調節することで、農業用止水シート１１の折り曲げ易さを調整し易くすることができる。
【００３９】
本発明は、各実施形態に限定されるものではなく、本発明の趣旨を逸脱しない範囲でその構成を変更、追加、又は削除することができる。各実施形態は、互いに任意に組み合わせてもよく、例えば１つの実施形態中の一部の構成を、他の実施形態に適用してもよい。農業用止水シートは、下部が地中２０に埋設されなくてもよく、例えば、コンクリートにより形成された土台の上方に用いられてもよい。
【００４０】
また、農業用止水シートを貫通させずに折曲部を形成する場合、折曲部は、農業用止水シートの両面に設けられていてもよい。この場合、農業用止水シートの両面に設けられた折曲部は、農業用止水シートの厚み方向に重なる位置に配置されていてもよい。また、農業用止水シートの一方の表面の一部を窪ませると共に、農業用止水シートの当該窪ませた部分の反対の表面を突出させることで折曲部が形成されてもよい。この場合、折曲部が形成されている部分と形成されていない部分での厚み寸法を同一としてもよい。
【産業上の利用可能性】
【００４１】
以上のように、本発明によれば、農業用止水シートをフレーム部材に固定する際の作業性が低下するのを良好に防止できる優れた効果を有する。従って、この効果の意義を発揮できる農業用止水シートとして広く適用すると有益である。
【符号の説明】
【００４２】
１，１１    農業用止水シート
１ａ，１１ａ    折曲部
【図１】
2020089390.tif 000003
【図２】
2020089390.tif 000004
【図３】
2020089390.tif 000005
【図４】
2020089390.tif 000006
【図５】
2020089390.tif 000007
【図６】
2020089390.tif 000008